(57)【要約】      （修正有）【課題】除塵装置を駆動するモータへの配線が容易であって、しかもケース内のスペースを有効利用してコンパクト化を図ることができる電気掃除機を提供する。【解決手段】ケース１内に形成され、集塵袋が配置される集塵室８と、集塵室８に隣接してケース１内に形成されたリール室９ｂに配置される電源コードの巻取りリール４と、集塵室８に配置されて集塵袋の内面に付着した塵を落とすように駆動される除塵装置と、この除塵装置を駆動するモータ５とを備える電気掃除機Ｃにおいて、モータ５が、リール室９ｂ内に設けられるとともに電源コードの巻取りスペースＳの外に配置されており、モータ５の回転軸Ａ２が、巻取りリール４の回転軸Ａ１よりも集塵室８側の上方寄りまたは下方寄りとなるように配置されている。【選択図】図３
2008079893.tif 000002
【特許請求の範囲】
【請求項１】
ケース内に形成され、集塵袋が配置される集塵室と、前記集塵室に隣接して前記ケース内に形成されたリール室に配置される電源コードの巻取りリールと、前記集塵室に配置されて前記集塵袋の内面に付着した塵を落とすように駆動される除塵装置と、この除塵装置を駆動するモータとを備える電気掃除機において、
前記モータが、前記リール室内に設けられるとともに前記電源コードの巻取りスペースの外に配置されており、前記モータの回転軸が、前記巻取りリールの回転軸よりも前記集塵室側の上方寄りまたは下方寄りとなるように配置されていることを特徴とする電気掃除機。
【請求項２】
前記モータの駆動力を前記除塵装置に伝達する除塵ユニットをさらに備えているとともに、前記ケースの底部には、前記ケースの外側から内側に向かって窪む凹部が形成されており、前記除塵ユニットが前記凹部に嵌め込まれることで前記下方寄りとなるように配置された前記モータと係合することを特徴とする請求項１に記載の電気掃除機。
【請求項３】
前記モータの回転軸にはモータ側ギヤが取り付けられているとともに、前記除塵ユニットには、前記モータ側ギヤと噛み合うユニット側ギヤが取り付けられており、モータ側ギヤの回転中心は、前記ユニット側ギヤの回転中心よりも上方に位置することを特徴とする請求項２に記載の電気掃除機。
【請求項４】
前記モータ側ギヤと前記ユニット側ギヤとは、前記リール室内で噛み合うことを特徴とする請求項３に記載の電気掃除機。
【請求項５】
前記集塵室と前記リール室との隔壁には、前記リール室側が窪むように湾曲部が形成されており、前記モータがこの湾曲部に取り付けられていることを特徴とする請求項１から請求項４のいずれか１項に記載の電気掃除機。
【発明の詳細な説明】
【技術分野】
【０００１】
本発明は、電気掃除機に関する。
【背景技術】
【０００２】
一般に、電気掃除機は、所定のケース内に設けられた集塵室と、この集塵室の気密を保つように集塵室と隔壁で隔ててケース内に設けられた後部室とを有している。そして、集塵室に集塵袋が配置され、後部室に電気送風機や電源コードを巻回する巻取りリール等が配置された電気掃除機が広く知られている。
【０００３】
従来、集塵室に配置された集塵袋に振動を与えることで集塵袋の目詰まりを防止する電気掃除機が提案されている（例えば、特許文献１参照）。この電気掃除機では、除塵袋に振動を与える除塵装置が集塵室に配置されている。また、特許文献１には、除塵装置を振動させるモータが集塵室に配置された電気掃除機と、集塵室と後部室との間に設けられた小室にモータが配置された電気掃除機とが開示されている。ちなみに、小室にモータが配置された後者の電気掃除機では、モータと集塵室内の除塵装置とを連結軸で連結するために、モータが隔壁の近傍であって電動送風機の下方に配置されている。
【特許文献１】特開２００５−１３２５６号公報
【発明の開示】
【発明が解決しようとする課題】
【０００４】
しかしながら、特許文献１に記載された電気掃除機のうち、モータが集塵室に配置された前者の電気掃除機では、後部室に電源コード（巻取りリール）が配置されているために、モータへの配線を、隔壁を介して行うこととなって、配線距離が長くなる。また、隔壁を介しての配線は、集塵室の後部室に対する気密性を低下させる恐れがあるばかりでなく、電気掃除機の製造工程が煩雑化するという問題がある。
その一方で、小室にモータが配置された後者の電気掃除機では、モータが隔壁の近傍に配置されるので、前者の電気掃除機と比較して電源コードからの配線距離は短くなる。しかしながら、後者の電気掃除機では、後部室と隔てられた小室のモータに配線が施されるので、電気掃除機の製造工程が煩雑化するという問題は解消されない。
更に、後者の電気掃除機では、モータが電動送風機の下方に配置されており、モータの配置スペース分だけ電動送風機の配置位置が上方にシフトすることとなる。そのため、この電気掃除機は、高さが増してしまう。また、後者の電気掃除機では、モータを配置する小室が必要となるために、小室の壁の厚さで、電気掃除機の高さが更に増すこととなる。
【０００５】
そこで、モータを電動送風機とともに後部室に配置することも考えられる。しかしながら、モータの配置スペースを後部室に確保したとしても、電動送風機の配置位置がケース内の上下、左右、または後方のいずれかにシフトすることによって、電気掃除機の高さや、幅、長さが増してしまう。
したがって、従来の電気掃除機と比較して、除塵装置を駆動するモータへの配線が容易であって、しかもケース内のスペースを有効利用してコンパクト化を図ることができる電気掃除機が望まれていた。
【０００６】
そこで、本発明の課題は、従来の電気掃除機と比較して、除塵装置を駆動するモータへの配線が容易であって、しかもケース内のスペースを有効利用してコンパクト化を図ることができる電気掃除機を提供することにある。
【課題を解決するための手段】
【０００７】
前記課題を解決する本発明は、ケース内に形成され、集塵袋が配置される集塵室と、前記集塵室に隣接して前記ケース内に形成されたリール室に配置される電源コードの巻取りリールと、前記集塵室に配置されて前記集塵袋の内面に付着した塵を落とすように駆動される除塵装置と、この除塵装置を駆動するモータとを備える電気掃除機において、
前記モータが、前記リール室内に設けられるとともに前記電源コードの巻取りスペースの外に配置されており、前記モータの回転軸が、前記巻取りリールの回転軸よりも前記集塵室側の上方寄りまたは下方寄りとなるように配置されていることを特徴とする。
この電気掃除機では、モータがリール室に配置されるので、従来の電気掃除機と比較して、モータが電源コードの巻取りリールにより近接するために、モータへの配線が容易になる。
また、この電気掃除機では、モータが電源コードの巻取りリールへの巻取りに干渉しないようにリール室に配置されており、しかもモータの回転軸が、巻取りリールの回転軸よりも集塵室側の上方寄りまたは下方寄り、つまりリール室のデッドスペースにモータが配置されているので、従来の電気掃除機と比較してケース内のスペースが有効利用される。
【発明の効果】
【０００８】
本発明の電気掃除機によれば、従来の電気掃除機と比較して、除塵装置を駆動するモータへの配線が容易になるので、その製造工程がより簡単になるとともに、ケース内のスペースを有効利用することができるので、電気掃除機のコンパクト化を図ることができる。
【発明を実施するための最良の形態】
【０００９】
次に、本発明の実施形態について適宜図面を参照しながら詳細に説明する。参照する図面において、図１は、実施形態に係る電気掃除機の斜視図であり、下側ケースから上側ケースを取り外した様子を示す図である。図２は、実施形態に係る電気掃除機を裏側から見た様子を示す斜視図であり、除塵ユニットを下側ケースから取り外した様子を示す図である。図３は、リール室における巻取りリールおよびモータの配置位置を説明するための模式図である。図４は、リール室に取り付けられたモータの斜視図である。図５は、モータと電動送風機の配置位置の関係を示す部分斜視図であり、下側ケース、開閉蓋、および隔壁を除いた様子を示す図である。図６（ａ）は、除塵ユニットの斜視図、図６（ｂ）は、図６（ａ）のＸ−Ｘ断面図である。図７は、除塵装置の斜視図であり、第１除塵部材に第３除塵部材が組み合わせられた様子を示す図である。図８は、第３除塵部材の斜視図であり、開閉蓋の内側から見た図である。図９（ａ）は、第１除塵部材および第２除塵部材に対する除塵ユニットの位置関係を示す模式図であり、図９（ｂ）は、第３除塵部材および動力分岐部材に対する除塵ユニットの位置関係を示す模式図である。
なお、本実施形態において方向を説明する場合は、図１に示す前、後、右、左、上、下を基準として説明する。
【００１０】
図１に示すように、電気掃除機Ｃは、ケース１と、このケース１内に収納される、電動送風機６、電動送風機６からの排気をろ過するＨＥＰＡフィルタ１０、集塵袋７、電源コード４ａを巻回する巻取りリール４、およびモータ５（図３参照）で駆動されて集塵袋７の内面に付着した塵を落とす除塵装置３を備えている。そして、図２に示すように、電気掃除機Ｃは、モータ５の駆動力を除塵装置３（図１参照）に伝達する除塵ユニット２を備えている。また、電気掃除機Ｃには、図示しないが、この電気掃除機Ｃを全般的に制御する制御基板、音で電気掃除機Ｃの動作状態を知らせるメロディーブザー、ＬＥＤや液晶などを使用した各種表示部等を備えている。
【００１１】
ケース１は、図１に示すように、主に、上側ケース１１と下側ケース１２とで形成されており、上側ケース１１は、上側本体１１ｂと開閉蓋１１ａとで形成されている。この開閉蓋１１ａは、開かれることで集塵袋７をケース１の外部に臨ませるようになっている。
【００１２】
下側ケース１２は、ケース１の底部を形成するものであって、その前側には、ホース（図示省略）が接続されるとともに、後記する集塵室８と連通するホース差込み口１２ｂが形成されている。
【００１３】
図２に示すように、この下側ケース１２には、その後方の左右両側に一対の主車輪１２ｃ，１２ｃが設けられ、その前方に副車輪１２ｄが設けられている。また、下側ケース１２には、下側ケース１２の外側から内側に向かって窪む凹部１２ａが形成されている。この凹部１２ａは、その開口の形状が略長方形であって、電気掃除機Ｃの左右方向に延びるように形成されている。そして、この凹部１２ａは、集塵室８およびリール室９ｂに臨んでおり、この凹部１２ａには、除塵ユニット２が着脱自在に嵌め込まれるようになっている。なお、本実施形態での除塵ユニット２は、下側ケース１２にボルト（図示省略）で取り付けられている。
【００１４】
図１に示すように、下側ケース１２の内側には、隔壁１４が形成されている。この隔壁１４は、この下側ケース１２に開閉蓋１１ａ、および上側本体１１ｂが組み付けられてケース１が形成された際に、ケース内の前側に集塵室８を区画し、後側に後部室９を区画するものである。そして、後部室９は、下側ケース１２の内側の底面を前後方向に延びる図示しないリブで左右に区分けされており、後部室９の右側には、送風機室９ａが形成され、その左側には、リール室９ｂが形成されている。なお、後部室９を区分けするリブは、後部室９を分断するものではなく、送風機室９ａとリール室９ｂとはケース１内の上部で相互に連通し合うこととなる。
【００１５】
そして、集塵室８とリール室９ｂとを隔てることとなる隔壁１４には、集塵室８側で膨らみ、リール室９ｂ側で窪む湾曲部１４ａが形成されている。この湾曲部１４ａには、後記するように、モータ５が取り付けられることとなる（図４参照）。
そして、集塵室８には、集塵袋７と、後記する除塵装置３とが配置されており、送風機室９ａには、電動送風機６が配置され、リール室９ｂには、巻取りリール４が配置されている。
【００１６】
集塵袋７は、紙、布、不織布等で構成された袋体であって、集塵室８に取り外し自在に配置されている。そして、集塵袋７の開口は、ホース差込み口１２ｂの集塵室８側の開口に連通している。
【００１７】
電動送風機６は、公知の構造を有するものでよく、その前側の図示しない送風部（ファン）が集塵室８と連通するとともに、その後側の図示しない電動機が送風機室９ａに配置されている。そして、電動送風機６は、電動機で駆動された送風部によって、集塵室８側から送風機室９ａ側に吸気するように構成されている。ちなみに、電動送風機６は、送風機室９ａ内に排気を行うとともに、この排気は、電動送風機６の周囲、およびに送風機室９ａに連通するリール室９ｂに設定された排気の経路を辿りながら、ケース１に形成された図示しない排気口からケース１外に放出されることとなる。そして、この排気は、送風機室９ａに配置された電動送風機６の前記した電動機（図示省略）、前記した制御基板（図示省略）、リール室９ｂの巻取りリール４に巻回された電源コード４ａ等の発熱部を冷却することとなる。
【００１８】
巻取りリール４は、公知の構造のものでよく、電源コード４ａを巻回する図示しない略円筒径の巻取り軸部と、この巻取り軸部の両端にそれぞれ設けられた図示しないディスク状のフランジ部とで主に構成されている。そして、この巻取りリール４は、リール室９ｂ内でフランジ部の板面が電気掃除機Ｃの左右方向に向くように、言い換えれば、図３に示すように、巻取りリール４の回転軸Ａ１が、電気掃除機Ｃの左右方向（図３の紙面に対して垂直方向）に沿うように配置されている。ちなみに、この巻取りリール４が回転することによって、電源コード４ａ（図１参照）がケース１に形成された所定の引き出し口（図示省略）を介して引き出し可能となるとともに、引き出された電源コード４ａ（図１参照）が巻取りリール４に巻回可能となる。そして、リール室９ｂ内には、巻取りリール４に最大限巻回された電源コード４ａ（図１参照）の最大巻き径で規定することができる巻取りスペースＳが設定される。
【００１９】
そして、図４に示すように、リール室９ｂ内には、後記する除塵装置３（図１参照）を駆動するモータ５が設けられている。本実施形態でのモータ５は、図４に示すように、隔壁１４に形成された湾曲部１４ａにボルトＢで固定されている。このモータ５の回転軸Ａ２には、モータ側ギヤＧ１が取り付けられている。このモータ側ギヤＧ１には、除塵ユニット２（図６（ａ）参照）に取り付けられたユニット側ギヤＧ２がリール室９ｂ内で噛み合っている。そして、モータ側ギヤＧ１の回転中心は、ユニット側ギヤＧ２の回転中心よりも上方に位置している。
【００２０】
このようなモータ５は、図３に示すように、リール室９ｂの巻取りスペースＳの外に配置されている。さらに具体的には、モータ５の回転軸Ａ２が、巻取りリール４の回転軸Ａ１よりも集塵室８側の下方寄りとなるように配置されている。そして、モータ５は、その少なくとも一部が湾曲部１４ａ内に入り込むように配置されることとなる。
【００２１】
このようなモータ５は、図５に示すように、前記した後部室９内で電動送風機６の左側に配置されるとともに、巻取りリール４の前方に配置されている。そして、次に、説明する除塵ユニット２は、このように配置されたモータ５の前方で、隔壁１４（図１参照）を介して配置されることとなる。
【００２２】
除塵ユニット２は、図６（ａ）に示すように、略円柱状の除塵回転体２１と、この除塵回転体２１が回転可能なように、その両端を支持する凹形の支持部材２２と、除塵回転体２１の回転軸Ａ３の一端側に取り付けられたユニット側ギヤＧ２とを備えている。
そして、除塵回転体２１のユニット側ギヤＧ２寄りには、その周面から突出するようにカム２４が形成されている。また、除塵回転体２１の周面には、除塵バネ２３が螺旋状に巻回されている。この除塵バネ２３は、除塵回転体２１と共回りするようになっている。
【００２３】
図６（ｂ）に示すように、この除塵バネ２３の、除塵回転体２１の回転軸Ａ３が延びる方向から見たその輪郭形状は六角形となっている。除塵バネ２３の輪郭形状は、六角形に限定されるものではなく、除塵回転体２１の周面側からその半径方向外側に向かって部分的に突き出す突出部２３ａが形成されるものであれば、他の多角形状や楕円形状であってもよい。
【００２４】
そして、図２に示すように、除塵ユニット２が、下側ケース１２の凹部１２ａに嵌め込まれた際に、除塵回転体２１の周面が集塵室８に臨んで除塵バネ２３の突出部２３ａ（図６（ｂ）参照）が、後記する除塵装置３を構成する第１除塵部材３１（図７参照）の下端側に当接するようになっている。
【００２５】
また、図２に示すように、凹部１２ａに除塵ユニット２が嵌め込まれた際に、集塵室８とリール室９ｂとが気密に隔てられるとともに、集塵室８と下側ケース１２の外部とが気密に隔てられるように、支持部材２２には、下側ケース１２の凹部１２ａと当接する部分に、図６（ａ）に示すように、ガスケット２５が取り付けられている。
【００２６】
除塵装置３は、図７に示すように、第１除塵部材３１と、第２除塵部材３２と、動力分岐部材３４と、第３除塵部材３３とを備えている。
【００２７】
第１除塵部材３１は、略矩形の板状格子体であって、集塵室８（図１参照）側で隔壁１４に沿うように配置されている。そして、この第１除塵部材３１は、その上縁側の両端が隔壁１４に立設されたリブ１４ｂに軸支されており、軸部１４ｃ周りに回動可能となっている。つまり、第１除塵部材３１は、軸部１４ｃを支点としてその下縁側が、隔壁１４から離れる方向に移動可能になっている。
【００２８】
第２除塵部材３２は、略矩形の板状スリット体であって、その後縁が第１除塵部材３１の下縁に係止されることで、第１除塵部材３１に対して、例えば９０度といった所定の角度をなすように第１除塵部材３１に取り付けられている。
【００２９】
動力分岐部材３４は、棒状体であって、隔壁１４と第１除塵部材３１との間に配置されるとともに、上下に摺動可能に隔壁１４に取り付けられている。そして、動力分岐部材３４の上端部３４ａは、第３除塵部材の入力部３３ｃに当接するようになっており、後記するように、その下端部３４ｂ（図９（ｂ）参照）は、除塵ユニット２のカム２４（図９（ｂ）参照）に当接するようになっている。
【００３０】
第３除塵部材３３は、前記したように、開閉蓋１１ａ（図１参照）の内側に配置されており、図８に示すように、略馬蹄形の板状スリット体で形成される本体部材３３ａと、この本体部材３３ａの左右両側に支軸３３ｄを介して取り付けられた板状の補助部材３３ｂとを備えている。そして、本体部材３３ａは、後端側から後方に突き出すように形成された板状の入力部３３ｃを備えている。また、本体部材３３ａは、後端の両側に軸部３３ｅを備えている。そして、本体部材３３ａは、開閉蓋１１ａにこの軸部３３ｅを介して軸支されている。つまり、入力部３３ｃに対して開閉蓋１１ａの表裏方向に荷重が入力されると、本体部材３３ａおよび補助部材３３ｂは、軸部３３ｅ周りに揺動可能になっている。
【００３１】
このような除塵装置３は、図９（ａ）に示すように、除塵ユニット２の除塵回転体２１と除塵バネ２３とがモータ５（図４参照）によって回転すると、除塵バネ２３の突出部２３ａ（図６（ｂ）参照）が、第１除塵部材３１の下端側に断続的に当接する。その結果、第１除塵部材３１は、軸部１４ｃ周りに回動することによって集塵袋７を断続的に押圧する。つまり、第１除塵部材３１は、集塵袋７に振動を与える。この際、第２除塵部材３２は、第１除塵部材３１に対して前記した所定の角度となるように取り付けられているので、図９（ａ）に示すように、軸部１４ｃ周りに回動することによって第１除塵部材３１とともに集塵袋７にその下側から振動を与える。
【００３２】
また、図９（ｂ）に示すように、除塵ユニット２の除塵回転体２１がモータ５（図４参照）によって回転すると、カム２４が、動力分岐部材３４の下端部３４ｂに断続的に当接する。その結果、動力分岐部材３４は、上下方向に往復運動することで、その上端部３４ａが第３除塵部材３３の入力部３３ｃを断続的に押圧する。その結果、第３除塵部材３３は、軸部３３ｅ周りに回動することによって集塵袋７を断続的に押圧する。このため、第３除塵部材３３は、集塵袋７にその上側から振動を与える。
【００３３】
つまり、除塵装置３は、モータ５（図４参照）の回転が、モータ側ギヤＧ１（図４参照）、ならびに除塵ユニット２のユニット側ギヤＧ２（図４参照）、および除塵回転体２１（図９（ａ）および（ｂ）参照）を介して伝えられることによって、集塵袋７を振動させて集塵袋７の内面に付着した塵を落とすようになっている。
【００３４】
次に、本実施形態に係る電気掃除機Ｃの作用効果について説明する。
この電気掃除機Ｃでは、モータ５がリール室９ｂに配置されるので、従来の電気掃除機（例えば、特許文献１参照）と比較して、モータ５が電源コード４ａの巻取りリール４により近接するために、モータ５への配線距離が短くなる。また、従来の電気掃除機（例えば、特許文献１参照）と異なって、隔壁１４を介してのモータ５への配線を施す必要がないので、集塵室８の後部室９に対する気密性を低下させる恐れが回避される。したがって、この電気掃除機Ｃによれば、電気掃除機Ｃの製造工程がより簡単になる。
【００３５】
また、この電気掃除機Ｃでは、除塵ユニット２に電気供給が必要な部品、例えばモータ５等が搭載されていないので、ケース１の底部に形成された凹部１２ａに除塵ユニット２を嵌め込む際に、除塵ユニット２への配線を施す必要がない。したがって、この電気掃除機Ｃによれば、除塵ユニット２の構造を簡素化することができる。
【００３６】
また、この電気掃除機Ｃでは、モータ５が電源コード４ａの巻取りリール４への巻取りに干渉しないようにリール室９ｂに配置されており、しかもモータ５の回転軸Ａ２が、巻取りリール４の回転軸Ａ１よりも集塵室８側の下方寄り、つまりリール室９ｂのデッドスペースにモータ５が配置されているので、従来の電気掃除機と比較してケース１内のスペースが有効利用される。その結果、電気掃除機Ｃの高さや、幅、長さが増すことがなく、電気掃除機Ｃのコンパクト化を図ることができる。
【００３７】
また、この電気掃除機Ｃでは、ケース１の底部に形成された凹部１２ａに除塵ユニット２が嵌め込まれることで、モータ５の駆動力が除塵装置３に伝達されるように構成されている。その結果、この電気掃除機Ｃでは、従来の電気掃除機（例えば、特許文献１参照）と異なって、モータと除塵装置とを連結するためにケース内に直接的に連結軸を組み付ける工程が省略される。また、モータ５の駆動力を除塵装置３に伝達する部材が、除塵ユニット２として一体化されているので、これらの部材を個別に組み付けるものと比較してその組み付けが容易になる。したがって、この電気掃除機Ｃによれば、その製造工程がより簡単になる。また、除塵ユニット２がケース１の外側から取り付けるようになっているので、モータ５の駆動力を除塵装置３に伝達する部材の交換が容易になる。
【００３８】
また、この電気掃除機Ｃでは、モータ側ギヤＧ１の回転中心が、ユニット側ギヤＧ２の回転中心よりも上方に位置しているので、ケース１の底部に形成された凹部１２ａに除塵ユニット２を嵌め込んだ際に、モータ側ギヤＧ１に対するユニット側ギヤＧ２の噛み合わせを容易に行うことができる。
【００３９】
また、この電気掃除機Ｃでは、モータ側ギヤＧ１とユニット側ギヤＧ２とがリール室９ｂ内で噛み合っているので、集塵室８でモータ側ギヤＧ１とユニット側ギヤＧ２とが噛み合うものと異なって、この噛み合いが集塵室８で膨らんだ集塵袋７によって阻害されることがない。
【００４０】
また、この電気掃除機Ｃでは、モータ５がこの湾曲部１４ａに取り付けられているので、モータ５の少なくとも一部を湾曲部１４ａ内に収容することができる。その結果、この電気掃除機Ｃによれば、リール室９ｂの長さを短くすることができるので、電気掃除機Ｃのコンパクト化を図ることができる。
【００４１】
なお、本発明は、前記実施形態に限定されることなく、様々な形態で実施される。
前記実施形態では、モータ５の回転軸Ａ２が、巻取りリール４の回転軸Ａ１よりも下方寄りとなるように配置されているが、本発明は、モータ５の回転軸Ａ２が巻取りリール４の回転軸Ａ１よりも上方寄りとなるように配置されていてもよい。このような電気掃除機Ｃは、前記実施形態に係る電気掃除機Ｃと同様に、リール室９ｂのデッドスペースにモータ５が配置されているので、従来の電気掃除機と比較してケース１内のスペースが有効利用される。その結果、電気掃除機Ｃの高さや、幅、長さが増すことがなく、電気掃除機Ｃのコンパクト化を図ることができる。また、上方寄りにモータ５が配置される電気掃除機Ｃは、除塵ユニット２が上側ケース１１側に取り付けられるとともに、このような除塵ユニット２によってモータ５の駆動力が伝達されるように除塵装置３が構成されることとなる。
【図面の簡単な説明】
【００４２】
【図１】実施形態に係る電気掃除機の斜視図であり、下側ケースから上側ケースを取り外した様子を示す図である。
【図２】実施形態に係る電気掃除機を裏側から見た様子を示す斜視図であり、除塵ユニットを下側ケースから取り外した様子を示す図である。
【図３】リール室における巻取りリールおよびモータの配置位置を説明するための模式図である。
【図４】リール室に取り付けられたモータの斜視図である。
【図５】モータと電動送風機の配置位置の関係を示す部分斜視図であり、下側ケース、開閉蓋、および隔壁を除いた様子を示す図である。
【図６】（ａ）は、除塵ユニットの斜視図、（ｂ）は、（ａ）のＸ−Ｘ断面図である。
【図７】除塵装置の斜視図であり、第１除塵部材に第３除塵部材が組み合わせられた様子を示す図である。
【図８】第３除塵部材の斜視図であり、開閉蓋の内側から見た図である。
【図９】（ａ）は、第１除塵部材および第２除塵部材に対する除塵ユニットの位置関係を示す模式図であり、（ｂ）は、第３除塵部材および動力分岐部材に対する除塵ユニットの位置関係を示す模式図である。
【符号の説明】
【００４３】
１      ケース
２      除塵ユニット
３      除塵装置
４      巻取りリール
４ａ    電源コード
５      モータ
６      電動送風機
７      集塵袋
８      集塵室
９ｂ    リール室
１２ａ  凹部
１４    隔壁
１４ａ  湾曲部
Ａ１    巻取りリールの回転軸
Ａ２    モータの回転軸
Ｇ１    モータ側ギヤ
Ｇ２    ユニット側ギヤ
Ｃ      電気掃除機
Ｓ      巻取りスペース
【図１】
2008079893.tif 000003
【図２】
2008079893.tif 000004
【図３】
2008079893.tif 000005
【図４】
2008079893.tif 000006
【図５】
2008079893.tif 000007
【図６】
2008079893.tif 000008
【図７】
2008079893.tif 000009
【図８】
2008079893.tif 000010
【図９】
2008079893.tif 000011